(57)【要約】本発明による真空包装装置は、包装紙を真空包装する真空包装ユニットと、上記真空包装ユニットに提供され、上記包装紙に切取り用切込みを形成させる切断ユニットと、を含む。【選択図】図５
2019500282.tif 000002
【特許請求の範囲】
【請求項１】
包装紙を真空包装する真空包装ユニットと、
前記真空包装ユニットに設けられ、前記包装紙に切取り用切込みを形成させる切断ユニットと、を含む真空包装装置。
【請求項２】
前記切断ユニットは、
前記包装紙を切断して前記切取り用切込みを形成させる切断部材と、
前記真空包装ユニットに設置されており、前記切断部材が連結され、且つ前記包装紙を切断するように前記切断部材を移動させる駆動部と、を備えることを特徴とする、請求項１に記載の真空包装装置。
【請求項３】
前記真空包装ユニットには外部に露出した第１支持溝が形成され、
前記駆動部は、
前記切断部材が装着され、前記第１支持溝において前記包装紙側に往復移動可能に装着された押圧部材を備え、
前記押圧部材に押圧力が適用された時に、前記押圧部材が前記切断部材とともに移動して前記切断部材によって前記包装紙が切断されることを特徴とする、請求項２に記載の真空包装装置。
【請求項４】
前記駆動部は、
前記第１支持溝に装着されて前記押圧部材を弾性支持し、押圧力による前記押圧部材の移動時に、前記押圧部材に逆方向への弾性力を加える弾性部材をさらに備えることを特徴とする、請求項３に記載の真空包装装置。
【請求項５】
前記押圧部材は、
前記第１支持溝に配置された押圧本体と、
前記押圧本体から延びて前記第１支持溝に形成された第１移動孔を貫通し、端部に前記切断部材が締結された締結部と、を備えることを特徴とする、請求項３に記載の真空包装装置。
【請求項６】
前記押圧部材は、
前記締結部と並んで前記押圧本体から延び、且つ前記第１支持溝に形成された支持孔でスライド移動され、前記押圧本体が前記第１支持溝の外側に脱去されることを防止するように前記支持孔の外部縁に係止される係止端部を有する係止バーをさらに備えることを特徴とする、請求項５に記載の真空包装装置。
【請求項７】
前記真空包装ユニットには、前記切断部材が移動される通路としての前記第１移動孔の延長線上に形成された第２移動孔を有する第２支持溝が形成され、
前記第２支持溝には、前記切断部材が挿入されて移動時にガイド支持するガイド孔を有するガイドブロックが装着されることを特徴とする、請求項５に記載の真空包装装置。
【請求項８】
前記真空包装ユニットには、前記真空包装ユニットの真空ポンプと連通されたハウジングが形成され、
前記駆動部は、
前記切断部材が装着され、前記ハウジング内において前記包装紙側に往復移動可能に装着された移動部材を備え、
前記真空包装ユニットの前記真空ポンプによる空気吸引または空気排出によって発生した前記ハウジング内における空気圧の変化により、前記移動部材が前記切断部材とともに移動して前記切断部材によって前記包装紙が切断されることを特徴とする、請求項２に記載の真空包装装置。
【請求項９】
前記駆動部は、
前記ハウジング内に装着されて前記移動部材を弾性支持し、前記ハウジング内の空気圧の変化による前記移動部材の移動時に、前記移動部材に逆方向への弾性力を加える弾性部材をさらに備えることを特徴とする、請求項８に記載の真空包装装置。
【請求項１０】
前記移動部材は、
前記ハウジング内に配置された移動本体と、
前記移動本体から延び、且つ前記ハウジングに形成された移動孔を貫通する締結部と、を備えることを特徴とする、請求項８に記載の真空包装装置。
【請求項１１】
前記移動本体は、その周りに、前記ハウジングの内面と密着するように、Ｏリングが装着されることを特徴とする、請求項１０に記載の真空包装装置。
【請求項１２】
前記ハウジングの上部には、前記切断部材が挿入されて移動時にガイド支持するガイドスリットを有するガイドプレートが装着されることを特徴とする、請求項８に記載の真空包装装置。
【請求項１３】
前記ハウジングの上部には、前記切断部材が挿入されて移動時にガイド支持するガイド溝が垂直方向に形成されることを特徴とする、請求項８に記載の真空包装装置。
【発明の詳細な説明】
【技術分野】
【０００１】
本発明は、真空包装装置に関するものであって、包装紙を真空しながら密封する真空包装装置に関するものである。
【背景技術】
【０００２】
食品や調理された飲食物の酸化と変質を防止し、長期保存可能とするために、保存しようとする飲食物を包装紙の内部に入れ、空気を抜いてから密封させる真空包装装置が開発されて用いられている。
【０００３】
一例として、韓国特許出願第１０−２０１３−０１２４６２３号に開示の真空包装装置によって包装紙を真空包装するが、このように真空包装された包装紙を開封するためには、はさみなどのような別の切断部材を用いなければならないという不便さがある。
【０００４】
さらに、このような切断部材がない場合には、直接手で包装紙を引裂かなければならないが、包装紙を引裂くことが容易ではなく、引裂いたとしてもその過程で内部の飲食物が不測の位置に落ちてしまい、飲食物が汚染するという問題がある。
【発明の概要】
【発明が解決しようとする課題】
【０００５】
本発明は、上記のような問題を解決するためになされたものであって、密封された包装紙を簡便に且つ容易に開封できるようにする真空包装装置を提供することをその目的とする。
【課題を解決するための手段】
【０００６】
上記のような目的を果たすために、本発明の一実施形態による真空包装装置は、包装紙を真空包装する真空包装ユニットと、上記真空包装ユニットに設けられ、上記包装紙に切取り用切込みを形成させる切断ユニットと、を含む。
【０００７】
ここで、上記切断ユニットは、上記包装紙を切断して上記切取り用切込みを形成させる切断部材と、上記真空包装ユニットに設置されており、上記切断部材が連結され、且つ上記包装紙を切断するように上記切断部材を移動させる駆動部と、を備えることができる。
【０００８】
具体的に、一実施形態としての上記切断ユニットでは、上記真空包装ユニットに、外部に露出した第１支持溝が形成され、上記駆動部は、上記切断部材が装着され、上記第１支持溝において上記包装紙側に往復移動可能に装着された押圧部材を備え、上記押圧部材に押圧力が加わる時に、上記押圧部材が上記切断部材とともに移動して上記切断部材によって上記包装紙が切断されることができる。
【０００９】
また、上記駆動部は、上記第１支持溝に装着され、且つ上記押圧部材を弾性支持し、押圧力による上記押圧部材の移動時に、上記押圧部材に逆方向への弾性力を加える弾性部材をさらに備えることができる。
【００１０】
そして、上記押圧部材は、上記第１支持溝に配置された押圧本体と、上記押圧本体から延びて上記第１支持溝に形成された第１移動孔を貫通し、端部に上記切断部材が締結された締結部と、を備えることができる。
【００１１】
尚、上記押圧部材は、上記締結部と並んで上記押圧本体から延びており、上記第１支持溝に形成された支持孔でスライド移動され、上記押圧本体が上記第１支持溝の外側に脱去されることを防止するように上記支持孔の外部縁に係止される係止端部を有する係止バーをさらに備えることができる。
【００１２】
さらに、上記真空包装ユニットには、上記切断部材が移動される通路としての上記第１移動孔の延長線上に形成された第２移動孔を有する第２支持溝が形成されており、上記第２支持溝には、上記切断部材が挿入されて移動時にガイド支持するガイド孔を有するガイドブロックが装着されることができる。
【００１３】
一方、他の実施形態としての上記切断ユニットでは、上記真空包装ユニットに、上記真空包装ユニットの真空ポンプと連通されたハウジングが形成され、上記駆動部は、上記切断部材が装着され、上記ハウジング内において上記包装紙側に往復移動可能に装着された移動部材を備え、上記真空包装ユニットの真空ポンプによる空気吸引または空気排出によって発生した上記ハウジング内における空気圧の変化により、上記移動部材が上記切断部材とともに移動して上記切断部材によって上記包装紙が切断されることができる。
【００１４】
ここで、上記駆動部は、上記ハウジング内に装着され、且つ上記移動部材を弾性支持し、上記ハウジング内の空気圧の変化による上記移動部材の移動時に、上記移動部材に逆方向への弾性力を加える弾性部材をさらに備えることができる。
【００１５】
また、上記移動部材は、上記ハウジング内に配置された移動本体と、上記移動本体から延び、且つ上記ハウジングに形成された移動孔を貫通する締結部と、を備えることができる。
【００１６】
この際、上記移動本体は、その周りに、上記ハウジングの内面と密着するように、Ｏリングが装着されることができる。
【００１７】
また、上記ハウジングの上部には、上記切断部材が挿入されて移動時にガイド支持するガイドスリットを有するガイドプレートが装着されることができる。
【００１８】
さらに、上記ハウジングの上部には、上記切断部材が挿入されて移動時にガイド支持するガイド溝が垂直方向に形成されることができる。
【発明の効果】
【００１９】
本発明による真空包装装置は、真空包装ユニットに切断ユニットを構成することにより、包装紙の一側部に引裂き易くするための切取り用切込みを形成させることができるため、密封された包装紙を簡便に且つ容易に開封することができるようにするという効果を奏する。
【図面の簡単な説明】
【００２０】
【図１】切取り用切込みが形成された包装紙を示した斜視図である。
【図２】本発明の一実施形態による真空包装装置によって包装紙を真空包装しながら切取り用切込みを形成することを示した斜視図である。
【図３】図２の真空包装装置を示した斜視図である。
【図４】図３の真空包装装置を示した分解斜視図である。
【図５】図４のＡを示した拡大図である。
【図６】図２の真空包装装置を示した垂直断面図である。
【図７】本発明の他の実施形態による真空包装装置を示した斜視図である。
【図８】図７の真空包装装置を示した分解斜視図である。
【図９】図８の真空包装装置から分解された駆動部を示した分解斜視図である。
【図１０】図９のＢを示した拡大図である。
【図１１】図７の真空包装装置を示した垂直断面図である。
【発明を実施するための形態】
【００２１】
以下、本発明の例示的な図面を参照して詳細に説明する。各図面の構成要素に図面符号を付加するにあたり、同一の構成要素には、たとえ他の図面上に表示されるとしても、できる限り同一の符号を有するようにしていることに留意する。また、本発明を説明するにあたり、係わる公知構成または機能についての具体的な説明が本発明の要旨を不明瞭にする可能性があると判断される場合には、その詳細な説明は省略する。
【００２２】
図１は切取り用切込みが形成された包装紙を示した斜視図であり、図２は本発明の一実施形態による真空包装装置によって包装紙を真空包装しながら切取り用切込みを形成することを示した斜視図である。
【００２３】
また、図３は図２の真空包装装置を示した斜視図であり、図４は図３の真空包装装置を示した分解斜視図である。
【００２４】
そして、図５は図４のＡを示した拡大図であり、図６は図２の真空包装装置を示した垂直断面図である。
【００２５】
図面を参照すると、本発明の真空包装装置は、包装紙１を真空包装する真空包装ユニット１００と、上記真空包装ユニット１００に設けられ、包装紙１に切取り用切込み１ａを形成させる切断ユニット２００と、を含む。
【００２６】
ここで、上記真空包装ユニット１００は、韓国特許出願第１０−２０１３−０１２４６２３号に開示されたように、内蔵された真空ポンプの作動によって包装紙１内の空気を吸引することで包装紙１の内部を真空化した後、包装紙１の入口を熱接着させることにより包装紙１を密封するように構成されるユニットである。
【００２７】
さらに、かかる真空包装ユニット１００は、包装紙１を真空してから密封するように構成されれば十分であって、本発明によって限定されず、従来の如何なるユニットも活用可能であることは言うまでもない。
【００２８】
そして、上記切断ユニット２００は、包装紙１を切断して切取り用切込み１ａを形成させるように構成される。
【００２９】
この際、上記切取り用切込み１ａは、熱接着されて密封される包装紙１を後で開封できるように、包装紙１において熱接着された部分よりも内容物側の一定部位に形成される。一例として、図面に示されたように、包装紙１の一側部に、引裂き易いように短い長さに切断されて形成される。
【００３０】
かかる切取り用切込み１ａは、包装紙１において真空が行われた部分から端部側に離隔して形成されることで、外部の空気がこの切取り用切込み１ａを介して包装紙１内に入らないように構成されることは言うまでもない。
【００３１】
具体的に、上記切断ユニット２００は、包装紙１を切断して上記切取り用切込み１ａを形成させる切断部材２１０と、包装紙１を切断するように上記切断部材２１０を移動させる駆動部と、を備えることができる。
【００３２】
ここで、上記駆動部は、真空包装ユニット１００に設置され、切断部材２１０が連結されており、包装紙１の切断のために切断部材２１０を移動させるように構成される。一実施形態として、上記駆動部は、手動で作動してもよく、他の実施形態として、真空包装ユニット１００の真空包装過程で自動で作動する構造を取ってもよい。
【００３３】
では、先ず、手動で作動する一実施形態による駆動部について説明する。
【００３４】
上記真空包装ユニット１００には、外部に露出した第１支持溝１１０ａが形成される。また、上記駆動部は、真空包装ユニット１００の第１支持溝１１０ａに装着された押圧部材２２０と、上記押圧部材２２０を弾性支持する弾性部材２３０と、を備えることができる。
【００３５】
ここで、上記押圧部材２２０には切断部材２１０が装着され、上記切断部材は第１支持溝１１０ａにおいて包装紙１側に往復移動可能に装着される。
【００３６】
かかる押圧部材２２０は、押圧力が適用された時に切断部材２１０とともに移動し、切断部材２１０によって包装紙１が切断される。
【００３７】
そして、上記弾性部材２３０は、第１支持溝１１０ａに装着されて押圧部材２２０を弾性支持し、押圧力による押圧部材２２０の移動時に、押圧部材２２０に逆方向への弾性力を加えるように構成される。
【００３８】
一例として、図面に示されたように、上記第１支持溝１１０ａが、真空包装ユニット１００の上部であるカバー１１０に形成され、真空包装ユニット１００に真空包装されるために挿入載置される包装紙１の上側に配置された場合、上記押圧部材２２０に押圧力が適用されて押圧部材２２０が下側に配置された包装紙１側に移動した時に、押圧部材２２０の下部に装着された切断部材２１０も下方移動され、包装紙１の一側部を切断することで、切取り用切込み１ａが形成される。参照に、この際、上記切断部材２１０の切断刃２１０ａは下端部に形成される。
【００３９】
また、上記弾性部材２３０は、図面に示されたように、第１支持溝１１０ａ内で押圧部材２２０を上方弾性支持するように配置された場合、押圧部材２２０が包装紙１側に下方移動した時に、押圧部材２２０に上方弾性力を加えることとなり、後で押圧部材２２０に適用されていた押圧力が除去されると、上方弾性力によって押圧部材２２０が再び上側に戻るようにする。
【００４０】
さらに、他の一例として、図面には示されていないが、上記第１支持溝１１０ａが、真空包装ユニット１００の下部で上側に凹んで形成され、真空包装ユニット１００に真空包装されるために挿入載置される包装紙１の下側に配置された場合、上記押圧部材２２０に押圧力が適用された時に上方移動し、これとともに切断部材２１０も上方移動して包装紙１を切断する。この際、切断部材２１０は押圧部材２２０の上部に装着され、切断刃２１０ａも上端部に形成されることは言うまでもない。尚、上記弾性部材２３０も押圧部材２２０の上側に配置され、押圧部材２２０が包装紙１側に上方移動した時に、押圧部材２２０に下方弾性力を加えることとなり、押圧部材２２０に適用されていた押圧力が除去されると、押圧部材２２０が再び下側に戻るようにする。
【００４１】
そして、図面には示されていないが、上記押圧部材２２０は、弾性部材２３０なしに、単純に手動で押し、さらに逆方向に引っぱるように設置されてもよいことは言うまでもない。この際、上記押圧部材２２０には、逆方向に引っぱる際に容易に把持できるように把手が形成されていてもよい。
【００４２】
一方、上記押圧部材２２０について図面を参照して具体的に説明すると、上記押圧部材２２０は、第１支持溝１１０ａに配置された押圧本体２２１と、上記押圧本体２２１から延びた締結部２２２と、を備えることができる。
【００４３】
上記締結部２２２は、押圧本体２２１から延び、且つ第１支持溝１１０ａに形成された第１移動孔１１０ｂ、１１１ａを貫通する配置構造を成し、端部には切断部材２１０が締結固定される。
【００４４】
また、上記押圧部材２２０は、押圧本体２２１が第１支持溝１１０ａの外側に脱去されることを防止するために、係止バー２２３をさらに備えることができる。
【００４５】
ここで、上記係止バー２２３は、締結部２２２と並んで押圧本体２２１から延び、且つ第１支持溝１１０ａに形成された支持孔１１０ｃを貫通する配置構造を成し、上記支持孔１１０ｃの外部縁に係止される係止端部２２３ａを有する。
【００４６】
このような係止バー２２３は、第１支持溝１１０ａから押圧本体２２１が脱去されることを防止するだけでなく、押圧本体２２１の両側部に形成されて第１支持溝１１０ａの支持孔１１０ｃでスライド移動される構造を取ることで、押圧本体２２１の移動を安定してガイドするガイドの役割も果たす。
【００４７】
さらに、上記真空包装ユニット１００には、切断部材２１０が移動される通路としての第１移動孔１１０ｂ、１１１ａの延長線上に形成された第２移動孔１２０ｂを有する第２支持溝１２０ａが形成され、上記第２支持溝１２０ａにはガイドブロック１２１が装着されることができる。参照に、上記第２支持溝１２０ａは真空包装ユニット１００の本体１２０に形成されることができる。
【００４８】
かかるガイドブロック１２１にはガイド孔１２１ａが形成される。上記ガイド孔１２１ａは、切断部材２１０が挿入されて、移動時に切断部材２１０をガイド支持する役割を果たす。すなわち、かかるガイドブロック１２１のガイド孔１２１ａは、切断部材２１０の移動時に回転または揺れが発生しないように、切断部材２１０をガイド支持する。
【００４９】
一方、自動で作動する他の実施形態による駆動部について、図１、図７から図１１を参照して説明する。
【００５０】
図７は本発明の他の実施形態による真空包装装置を示した斜視図であり、図８は図７の真空包装装置を示した分解斜視図である。
【００５１】
また、図９は図８の真空包装装置から分解された駆動部を示した分解斜視図であり、図１０は図９のＢを示した拡大図であり、図１１は図７の真空包装装置を示した垂直断面図である。
【００５２】
図面を参照すると、上記真空包装ユニット１００には、真空包装ユニット１００の真空ポンプ（不図示）と連通されたハウジングＨが形成される。上記駆動部は、ハウジングＨに装着された移動部材２６０と、上記移動部材２６０を弾性支持する弾性部材２７０と、を備えることができる。
【００５３】
参照に、この際、上記ハウジングＨは、移動部材２６０が収容される収容溝１２２を有する台収容部材１２２と、真空包装ユニット１００の本体１２０に設置され、上記台収容部材１２２をカバー１１０するカバー部１１０と、で構成されることができる。この際、カバー部１１０としては、図１１に示されたように、包装紙１をクランプするクランプ部材が活用されることができる。
【００５４】
ここで、上記移動部材２６０には切断部材２１０が装着され、上記切断部材２１０はハウジングＨ内において包装紙１側に往復移動可能に装着される。この際、包装紙１側への往復移動とは、離隔している包装紙１との距離が変わるように移動されることを意味し、具体的に、包装紙１の反対側への往復移動も包括する概念である。
【００５５】
かかる移動部材２６０は、真空包装ユニット１００の真空ポンプ（不図示）による空気吸引または空気排出により発生したハウジングＨ内の空気圧の変化によって移動する。このため、上記ハウジングＨには、真空ポンプ（不図示）と連通される連結管１２２ｂが形成される。
【００５６】
そして、上記弾性部材２７０は、ハウジングＨ内に装着されて移動部材２６０を弾性支持し、ハウジングＨ内の空気圧の変化による移動部材２６０の移動時に、移動部材２６０に逆方向への弾性力を加えるように構成される。
【００５７】
一方、図面に示されたように、上記移動部材２６０が真空ポンプの空気吸引によって作動する場合には、上記ハウジングＨの連結管１２２ｂが真空ポンプの空気吸引部（不図示）と連通された構造を取る。
【００５８】
これにより、真空ポンプが作動すると、ハウジングＨにおいて移動部材２６０の下側空間に負圧が発生することで、移動部材２６０が包装紙１の反対側である下側に移動し、この際、移動部材２６０に装着された切断部材２１０もともに移動して、切断部材２１０が包装紙１の一側部を切断することで、切取り用切込み１ａが形成される。参照に、この際、上記切断部材２１０は端部が折り曲げられており、この折り曲げられた部分に切断刃２１０ａが形成される。かかる切断刃２１０ａは包装紙１の上側に配置される。
【００５９】
また、上記弾性部材２７０は、ハウジングＨ内で移動部材２６０を上方弾性支持するように配置された場合、移動部材２６０が包装紙１の反対側に下方移動した時に、移動部材２６０に上方弾性力を加えることとなり、後でハウジングＨにおいて移動部材２６０の下側に負圧が除去されると、上方弾性力によって移動部材２６０が再び上側に戻るようにする。この際、ハウジングＨにおける負圧の除去は、真空ポンプの作動が停止した後、別の空気流入ルートを介して空気が流入されるように適正な構成を取ることができることは言うまでもない。
【００６０】
さらに、他の一例として、図面には示されていないが、上記移動部材２６０が真空ポンプの空気排出によって作動する場合には、上記ハウジングＨの連結管１２２ｂが真空ポンプの空気排出部（不図示）と連通された構造を取る。これにより、真空ポンプが作動すると、ハウジングＨにおいて移動部材２６０の下側空間に正圧が発生することで、移動部材２６０が包装紙１側である上側に移動し、この際、移動部材２６０に装着された切断部材２１０もともに移動して、切断部材２１０が包装紙１の一側部を切断することで、切取り用切込み１ａが形成される。参照に、この際、上記切断部材２１０は端部が折り曲げられずに一字状に形成され、切断刃２１０ａは上端部に形成されて包装紙１の下側に配置される。また、上記弾性部材２７０は、ハウジングＨ内で移動部材２６０を下方弾性支持するように配置された場合、移動部材２６０が包装紙１側に上方移動した時に、移動部材２６０に下方弾性力を加えることとなり、後でハウジングＨにおいて移動部材２６０の下側に正圧が除去されると、下方弾性力によって移動部材２６０が再び下側に戻るようにする。この際、ハウジングＨにおける正圧の除去は、真空ポンプの作動が停止した後、別の空気排出ルートを介して空気が排出されるように適正な構成を取ることができることは言うまでもない。
【００６１】
一方、上記移動部材２６０について図面を参照して具体的に説明すると、上記移動部材２６０は、ハウジングＨ内に配置された移動本体２６１と、上記移動本体２６１から延びた締結部２６２と、を備えることができる。
【００６２】
上記締結部２６２は、移動本体２６１から延び、且つハウジングＨに形成された貫通孔１２３ａを貫通する配置構造を成し、端部には切断部材２１０が締結固定される。この際、上記貫通孔１２３ａはハウジングＨにおいてカバー部１１０に形成される。
【００６３】
また、上記移動本体２６１は、その周りに、ハウジングＨの内面と密着するように、Ｏリング２６３が装着されることができる。これにより、ハウジングＨの内部において移動部材２６０の下側空間と上側空間との間に隙間が生じないようにすることで、移動部材２６０の下側に負圧または正圧が発生した時にそれが維持されるようにする。
【００６４】
さらに、上記ハウジングＨの上部にはガイドプレート１２４が装着されることができる。かかるガイドプレート１２４には、切断部材２１０が挿入されて移動時に切断部材２１０をガイド支持するガイドスリット１２４ａが形成される。
【００６５】
また、上記ハウジングＨの上部には、切断部材２１０が挿入されて移動時にガイド支持するガイド溝１２５が垂直方向に形成されることができる。
【００６６】
かかるガイドスリット１２４ａ及びガイド溝１２５は、切断部材２１０の移動時に回転または揺れが発生しないように、切断部材２１０をガイドする役割を果たす。
【００６７】
結果として、上述のように、本発明は、真空包装ユニット１００に切断ユニット２００を構成することにより、包装紙１の一側部に引裂き易くするための切取り用切込み１ａを形成させることができるため、密封された包装紙１を簡便に且つ容易に開封することができる。
【００６８】
以上のように、たとえ限定された実施形態と図面によって本発明が説明されたが、本発明はこれに限定されない。本発明が属する技術分野において通常の知識を有する者により、本発明の技術思想と添付の特許請求の範囲と均等な範囲内で様々な修正及び変形が可能であることは言うまでもない。
【図１】
2019500282.tif 000003
【図２】
2019500282.tif 000004
【図３】
2019500282.tif 000005
【図４】
2019500282.tif 000006
【図５】
2019500282.tif 000007
【図６】
2019500282.tif 000008
【図７】
2019500282.tif 000009
【図８】
2019500282.tif 000010
【図９】
2019500282.tif 000011
【図１０】
2019500282.tif 000012
【図１１】
2019500282.tif 000013
【国際調査報告】
2019500282.tif 000014
2019500282.tif 000015
2019500282.tif 000016
2019500282.tif 000017